(57)【要約】【課題】ＤＶＤ等に格納された映像情報を再生中に、人などの障害物がスクリーンを横切った際でも、映像の視聴が途切れることのないプロジェクターを提供する。【解決手段】映像情報格納媒体に格納された映像情報を再生する映像情報再生部１１０と、映像情報再生部１１０が再生する映像情報に基づき映像を投射する映像投射部と、映像情報再生部１１０および映像投射部の動作を制御する制御部１４０と、映像投射部と投射面の間に障害物があるか否かを検出する障害物検出部１５０と、を備え、制御部１４０は、映像投射部が映像情報再生部１１０の再生する映像情報に基づき映像を投射しているときに障害物検出部１５０が障害物を検出すると、映像情報再生部１１０に映像情報の再生を停止させる。【選択図】図１
2010145943.tif 000002
【特許請求の範囲】
【請求項１】
映像情報格納媒体に格納された映像情報を再生する映像情報再生部と、
前記映像情報再生部が再生する映像情報に基づき映像を投射する映像投射部と、
前記映像情報再生部および前記映像投射部の動作を制御する制御部と、
前記映像投射部と投射面の間に障害物があるか否かを検出する障害物検出部と、
を備え、
前記制御部は、
前記映像投射部が前記映像情報再生部の再生する映像情報に基づき映像を投射しているときに前記障害物検出部が前記障害物を検出すると、
前記映像情報再生部に前記映像情報の再生を停止させる
ことを特徴とするプロジェクター。
【請求項２】
前記制御部は、
前記映像投射部が前記映像情報再生部の再生する映像情報に基づき映像を投射しているときに前記障害物検出部が前記障害物を検出した後、前記映像情報再生部に前記映像情報の再生を停止させ、
前記映像情報再生部に前記映像情報の再生を次に再開させるときは、
前記映像情報の再生位置を所定量戻した上で再生を再開させる
ことを特徴とする請求項１記載のプロジェクター。
【請求項３】
前記制御部は、
前記映像投射部が前記映像情報再生部の再生する映像情報に基づき映像を投射しているときに前記障害物検出部が前記障害物を検出した後、前記映像情報再生部に前記映像情報の再生を停止させるときは、
あらかじめ前記映像投射部に映像の投射を停止させた上で、
前記映像情報再生部に前記映像情報の再生を停止させる
ことを特徴とする請求項１または請求項２記載のプロジェクター。
【請求項４】
前記映像投射部は、
前記映像情報に基づき出力映像信号を生成する映像信号処理部と、
映像投射光を投射する投射部と、
を備え、
前記制御部は、
前記映像情報再生部に前記映像情報の再生を停止させる前に、あらかじめ前記映像投射部に映像の投射を停止させるときは、
前記映像信号処理部または前記投射部の動作を停止させることにより、
前記映像投射部に映像の投射を停止させる
ことを特徴とする請求項３記載のプロジェクター。
【請求項５】
操作入力を受け付けて前記制御部に対応する操作信号を出力する操作入力部を備え、
前記制御部は、
前記操作入力部より前記映像情報再生部を停止すべき旨の操作信号を受け付けた後、
前記映像情報再生部に前記映像情報の再生を再開させるときは、
前記映像情報の再生位置を所定量戻した上で再生を再開させる
ことを特徴とする請求項１ないし請求項４のいずれかに記載のプロジェクター。
【請求項６】
映像情報格納媒体に格納された映像情報を再生する映像情報再生部と、
前記映像情報再生部が再生する映像情報に基づき映像を投射する映像投射部と、
前記映像投射部と投射面の間に障害物があるか否かを検出する障害物検出部と、
を備えたプロジェクターの制御方法であって、
前記映像投射部が前記映像情報再生部の再生する映像情報に基づき映像を投射しているときに前記障害物検出部が前記障害物を検出すると、
前記映像情報再生部に前記映像情報の再生を停止させる
ことを特徴とするプロジェクターの制御方法。
【発明の詳細な説明】
【技術分野】
【０００１】
本発明は、プロジェクターおよびその制御方法に関するものである。
【背景技術】
【０００２】
従来、投影表示装置に関し、特許文献１に、「人体（目）に対する安全性を確保することのできる投影表示装置を提供する。」ことを目的とした技術として、「投射範囲内に障害物７がない場合のテストパターン１３１の撮影映像をフレームメモリー１３に記憶しておき、投射範囲内に障害物がある場合のテストパターン１３１の撮影映像と記憶しておいたテストパターン１３１の撮影映像とを比較部１４で比較して投射範囲内にある障害物７を検出し、映像拡張処理部１６１で検出した障害物７の範囲より広い範囲の映像マスク部３１を生成し、輝度制御部１７で映像マスク部３１の輝度を減少させる制御を行う。」というものが提案されている（要約）。
【０００３】
また、プロジェクション装置に関し、特許文献２に、「プロジェクターが発する投写光が人間の眼などスクリーンの表面以外に照射されることを防ぎ、人間の眼に入っても安全な輝度に抑える」ことを目的とした技術として、「本発明のプロジェクション装置は、スクリーン１上の映像表示領域に格子状に配置された赤外線ＬＥＤ３と、プロジェクター２に設けられた赤外線ＬＥＤ３の発光を検出する赤外線センサー２６と、検出結果によって、プロジェクター２とスクリーン１の間の映像表示領域のいずれかの領域に障害物があるか否かを判断する照射不能領域判定部２９と、判断結果によって、障害物があると判断された照射不能領域は、光変調器２４に対して照射不能領域に投写光を照射しないように制御する照射不能領域非照射部３２とを備え、障害物がないことが検出された照射可能領域についてのみ投写光を照射する。」というものが提案されている（要約）。
【０００４】
また、プロジェクターに関し、特許文献３に、「ＤＶＤ又はビデオテープ等の記録媒体を再生する画像再生部と一体のプロジェクターで、所定の操作をしたときに、画像再生部の再生を停止、一時停止、再生または記録を開始し、プロジェクターの投射部から投写する投写画面を他の画面に切り換えるプロジェクターを提供する。」ことを目的とした技術として、「画像再生中に、ブレイクスイッチが押下されたか否かを判断する。ブレイクスイッチが押下された場合は、次に進む。また、押下されない場合は、元の状態を継続する。画像再生部での記録媒体Ｄの再生を一時停止と画像は１つの場面で止まり、音の再生も止まる。ＣＰＵは、ブレイクスイッチが押下された信号に基づき計時部対し、一時停止時間を計時させる。計時された計時データはＲＡＭに保存される。さらにＲＯＭまたはＥＥＰＲＯＭの案内画像の画像データを読み出し、一時停止している画面を前記案内画像の画像データに切り換えて表示する。」というものが提案されている（要約）。
【０００５】
【特許文献１】特開２００５−１０９５４０号公報
【特許文献２】特開２００５−１３４５６３号公報
【特許文献３】特開２００５−９４４７５号公報
【発明の開示】
【発明が解決しようとする課題】
【０００６】
プロジェクターの中には、ＤＶＤ（Ｄｉｇｉｔａｌ  Ｖｅｒｓａｔｉｌｅ  Ｄｉｓｃ）のような映像情報格納媒体に格納された映像情報を再生する、プレーヤー機能を備えたものがある。
上記特許文献１や特許文献２に記載の技術では、プロジェクターがＤＶＤを再生中にプロジェクターとスクリーンの間を人が横切ったようなときは、人間の眼の安全を図ることができるものの、人間がスクリーンを横切っている間は映像を視ることができないので、その間に映像が進行して視聴が途切れてしまう。
【０００７】
上記特許文献３に記載の技術では、ＤＶＤ等を再生中に画面を一時停止することができるものの、そのための操作はユーザーが自ら行わなければならない。
そのため、スクリーンを人などが横切る際に、ユーザーの一時停止操作が遅れると、上記特許文献１や特許文献２と同様に視聴が途切れてしまい、後に巻き戻しなどの操作を改めて行う必要がある。
【０００８】
本発明は、上記のような課題を解決するためになされたものであり、ＤＶＤ等に格納された映像情報を再生中に、人などの障害物がスクリーンを横切った際でも、映像の視聴が途切れることのないプロジェクターを提供することを目的とする。
【課題を解決するための手段】
【０００９】
本発明に係るプロジェクターは、映像情報格納媒体に格納された映像情報を再生する映像情報再生部と、前記映像情報再生部が再生する映像情報に基づき映像を投射する映像投射部と、前記映像情報再生部および前記映像投射部の動作を制御する制御部と、前記映像投射部と投射面の間に障害物があるか否かを検出する障害物検出部と、を備え、前記制御部は、前記映像投射部が前記映像情報再生部の再生する映像情報に基づき映像を投射しているときに前記障害物検出部が前記障害物を検出すると、前記映像情報再生部に前記映像情報の再生を停止させる。
そのため、人間などがスクリーンの前を横切っている間に再生映像が進行して、視聴が途切れてしまう不都合を回避することができる。
【００１０】
また、本発明に係るプロジェクターにおいて、前記制御部は、前記映像投射部が前記映像情報再生部の再生する映像情報に基づき映像を投射しているときに前記障害物検出部が前記障害物を検出した後、前記映像情報再生部に前記映像情報の再生を停止させ、前記映像情報再生部に前記映像情報の再生を次に再開させるときは、前記映像情報の再生位置を所定量戻した上で再生を再開させる。
そのため、障害物によってユーザーが映像を見逃す可能性を確実に低減することができる。
【００１１】
また、本発明に係るプロジェクターにおいて、前記制御部は、前記映像投射部が前記映像情報再生部の再生する映像情報に基づき映像を投射しているときに前記障害物検出部が前記障害物を検出した後、前記映像情報再生部に前記映像情報の再生を停止させるときは、あらかじめ前記映像投射部に映像の投射を停止させた上で、前記映像情報再生部に前記映像情報の再生を停止させる。
そのため、ユーザーが乱れた画面を見て不快に感じるなどの心配がなくなり、使用感のよいプロジェクターを提供することができる。
【００１２】
また、本発明に係るプロジェクターにおいて、前記映像投射部は、前記映像情報に基づき出力映像信号を生成する映像信号処理部と、映像投射光を投射する投射部と、を備え、前記制御部は、前記映像情報再生部に前記映像情報の再生を停止させる前に、あらかじめ前記映像投射部に映像の投射を停止させるときは、前記映像信号処理部または前記投射部の動作を停止させることにより、前記映像投射部に映像の投射を停止させる。
そのため、短時間で映像の投射を停止させたり、安全性を向上させたりすることができる。
【００１３】
また、本発明に係るプロジェクターは、操作入力を受け付けて前記制御部に対応する操作信号を出力する操作入力部を備え、前記制御部は、前記操作入力部より前記映像情報再生部を停止すべき旨の操作信号を受け付けた後、前記映像情報再生部に前記映像情報の再生を再開させるときは、前記映像情報の再生位置を所定量戻した上で再生を再開させる。
そのため、ユーザーは手動で再生位置を戻す必要がなくなり、ユーザーの使い勝手を向上させることができる。
【００１４】
本発明に係るプロジェクターの制御方法は、映像情報格納媒体に格納された映像情報を再生する映像情報再生部と、前記映像情報再生部が再生する映像情報に基づき映像を投射する映像投射部と、前記映像投射部と投射面の間に障害物があるか否かを検出する障害物検出部と、を備えたプロジェクターの制御方法であって、前記映像投射部が前記映像情報再生部の再生する映像情報に基づき映像を投射しているときに前記障害物検出部が前記障害物を検出すると、前記映像情報再生部に前記映像情報の再生を停止させる。
そのため、人間などがスクリーンの前を横切っている間に再生映像が進行して、視聴が途切れてしまう不都合を回避することができる。
【発明を実施するための最良の形態】
【００１５】
実施の形態１．
図１は、本発明の実施の形態１に係るプロジェクター１００の機能ブロック図である。
プロジェクター１００は、ＤＶＤ再生部１１０、映像信号処理部１２０、投射部１３０、制御部１４０、障害物検出部１５０、操作入力部１６０を備える。
【００１６】
ＤＶＤ再生部１１０は、ＤＶＤをセットするトレーや光学ヘッドなどを適宜備え、ＤＶＤに格納されている映像情報を読み取って、映像信号として再生する。再生された映像信号は、映像信号処理部１２０に出力される。
本発明における「映像情報再生部」は、ＤＶＤ再生部１１０がこれに相当する。
また、「映像情報格納媒体」は、ＤＶＤがこれに相当する。
【００１７】
映像信号処理部１２０は、ＤＶＤ再生部１１０から受け取った映像信号と制御部１４０の指示に基づいて出力映像信号を生成し、投射部１３０に出力する。
映像信号処理部１２０は、マイクロプロセッサ等により構成され、内蔵したプログラムを実行することにより、上記の処理を行う。
【００１８】
投射部１３０は、光源、投射光学系などの映像投射に必要な構成を適宜備え、映像信号処理部１２０より映像信号を受け取り、その映像を投射する。
【００１９】
制御部１４０は、ＤＶＤ再生部１１０、映像信号処理部１２０、投射部１３０の動作を制御する。
制御部１４０は、その機能を実現する回路デバイスのようなハードウェアで構成することもできるし、マイコンやＣＰＵ（Ｃｅｎｔｒａｌ  Ｐｒｏｃｅｓｓｉｎｇ  Ｕｎｉｔ）のような演算装置とその動作を規定する制御プログラムで構成することもできる。
【００２０】
障害物検出部１５０は、投射部１３０とスクリーン（図示せず）の間に障害物が存在するか否かを検出し、検出結果を制御部１４０に出力する。障害物の検出手法は、任意の公知技術を用いることができる。
なお、障害物検出部１５０は、投射部１３０周辺の撮像など物理的なセンシングのみを実行し、投射部１３０とスクリーンの間に障害物が存在するか否かの判断は、制御部１４０が実行するようにしてもよい。
【００２１】
操作入力部１６０は、プロジェクター１００の本体筐体の外面に設けられ、ユーザーの操作入力を受け付けるためのものである。
ユーザーが操作入力部１６０に配置されたキーを押下等すると、それに対応した操作信号が制御部１４０に出力される。制御部１４０は、操作入力部１６０が出力した操作信号を受け取り、対応する制御動作を実行する。
【００２２】
本発明における「映像投射部」は、映像信号処理部１２０、投射部１３０が相当する。
【００２３】
以上、本実施の形態１に係るプロジェクタ−１００の構成を説明した。
次に、本実施の形態１に係るプロジェクタ−１００の動作を説明する。
【００２４】
図２は、プロジェクター１００がＤＶＤを再生するときの動作フローである。以下、図２の各ステップについて説明する。
【００２５】
（Ｓ２００）
ユーザーは、ＤＶＤ再生部１１０のディスクトレイにＤＶＤをセットし、操作入力部１６０を操作してＤＶＤを再生すべき旨を指示する。その旨の操作信号が制御部１４０に出力され、本動作フローが開始する。
制御部１４０は、ＤＶＤ再生部１１０にＤＶＤの再生を開始させる。ＤＶＤ再生部１１０はＤＶＤに格納された映像情報を再生する。映像信号処理部１２０、投射部１３０は、その映像信号に基づきスクリーンに映像を投射する。
【００２６】
（Ｓ２０１）
制御部１４０は、例えば所定時間間隔で、投射部１３０とスクリーンの間に障害物が存在しているか否かの検出結果を、障害物検出部１５０より取得する。障害物を検出したときはステップＳ２０２へ進み、検出しなかったときは本ステップを継続する。
【００２７】
（Ｓ２０２）
制御部１４０は、ＤＶＤ再生部１１０の映像再生動作を一時停止させる。
（Ｓ２０３）
以後、ＤＶＤ再生部１１０は、一時停止状態となる。再生していた映像は、その時点の再生位置で停止する。
【００２８】
以上、ＤＶＤの再生と、再生中に障害物を検出したときの動作について説明した。
次に、その後に再生を再開するときの動作を説明する。
【００２９】
人間などがスクリーンの前を横切り始めてから、障害物検出部１５０がその旨を検出するまでの間には、タイムラグが存在する場合がある。
そこで、本実施の形態１に係るプロジェクター１００は、障害物検出部１５０が障害物を検出したことによりＤＶＤの再生を一時停止した後、障害物を検出しなくなったことにより再生を再開する際に、上記の点を考慮した動作を行う。以下、詳細を説明する。
【００３０】
図３は、図２でプロジェクター１００がＤＶＤの再生を一時停止した後、ＤＶＤの再生を再開するときの動作フローである。以下、図３の各ステップについて説明する。
【００３１】
（Ｓ３００）
ユーザーは、操作入力部１６０を操作して、ＤＶＤの再生を再開すべき旨を指示する。その旨の操作信号が制御部１４０に出力され、本動作フローが開始する。
（Ｓ３０１）
制御部１４０は、例えば所定時間間隔で、投射部１３０とスクリーンの間に障害物が存在しているか否かの検出結果を、障害物検出部１５０より取得する。障害物を検出したときは本ステップを継続し、検出しないときはステップＳ３０２へ進む。
【００３２】
（Ｓ３０２）
制御部１４０は、ＤＶＤ再生部１１０の再生位置を所定量戻す。ここでの所定量とは、例えば「再生位置を２秒戻す」など、適当な単位で定められているものとする。
また、この所定量は、プロジェクター１００が備えるフラッシュＲＯＭ（Ｒｅａｄ  Ｏｎｌｙ  Ｍｅｍｏｒｙ：図示せず）などの記憶装置に格納されている情報で、あらかじめ定義されているものとする。
【００３３】
（Ｓ３０３）
制御部１４０は、ＤＶＤ再生部１１０の一時停止状態を解除する。ＤＶＤ再生部１１０は、ステップＳ３０２で説明した再生位置から、ＤＶＤの再生動作を再開する。
（Ｓ３０４）
以後、ＤＶＤ再生部１１０は、再生中状態となる。
【００３４】
以上、本実施の形態１に係るプロジェクタ−１００の動作を説明した。
【００３５】
以上のように、本実施の形態１によれば、ＤＶＤ再生部１１０がＤＶＤを再生中に、障害物検出部１５０が投射部１３０とスクリーンの間に障害物を検出すると、制御部１４０はＤＶＤ再生部１１０を一時停止させる。
そのため、人間などがスクリーンの前を横切っている間に再生映像が進行して、視聴が途切れてしまう不都合を回避することができる。特に、ＤＶＤのような映像情報格納媒体は、時間進行する映像が格納されている場合が多いと考えられるため、本実施の形態１で説明した機能が有効である。
【００３６】
また、本実施の形態１によれば、障害物検出部１５０が障害物を検出したことにより、ＤＶＤ再生部１１０を一時停止した後、障害物を検出しなくなったことによりＤＶＤの再生を再開するときは、再生位置を所定量戻した上で再生を再開する。
そのため、障害物検出部１５０が障害物を検出する際にタイムラグが生じても、障害物がスクリーンの前を横切り始めた時点の近傍、もしくはそれより以前の時点まで再生位置を戻すことができる。
これにより、障害物によってユーザーが映像を見逃す可能性を確実に低減し、利便性のよいプロジェクター１００を提供することができる。
【００３７】
実施の形態２．
実施の形態１では、障害物検出部１５０の検出結果に基づき、ＤＶＤ再生部１１０の再生動作を一時停止し、再生再開時は再生位置を所定量戻すことを説明した。
本発明の実施の形態２では、ＤＶＤ再生部１１０の一時停止や再生再開を行う前後に、映像ミュートやその解除を行う動作例を説明する。
なお、本実施の形態２に係るプロジェクター１００の構成は、実施の形態１と同様である。
【００３８】
ここでいう「映像ミュート」とは、映像の投射を停止することをいう。映像ミュートを行う理由については、後に改めて説明する。
【００３９】
図４は、本実施の形態２において、プロジェクター１００がＤＶＤを再生するときの動作フローである。以下、図４の各ステップについて説明する。
【００４０】
（Ｓ４００）〜（Ｓ４０１）
図２のステップＳ２００〜Ｓ２０１と同様である。
（Ｓ４０２）
制御部１４０は、映像ミュートを実施する。映像ミュートの具体的な実現手法については、後に改めて説明する。
（Ｓ４０３）〜（Ｓ４０４）
図２のステップＳ２０２〜Ｓ２０３と同様である。
【００４１】
以上、ＤＶＤの再生と、再生中に障害物を検出したときの動作について説明した。
次に、その後に再生を再開するときの動作を説明する。
【００４２】
図５は、図４でプロジェクター１００がＤＶＤの再生を一時停止した後、ＤＶＤの再生を再開するときの動作フローである。以下、図５の各ステップについて説明する。
【００４３】
（Ｓ５００）〜（Ｓ５０１）
図３のステップＳ３００〜Ｓ３０１と同様である。
（Ｓ５０２）
制御部１４０は、映像ミュートを解除する。
（Ｓ５０３）〜（Ｓ５０５）
図３のステップＳ３０２〜Ｓ３０４と同様である。
【００４４】
以上、本実施の形態２に係るプロジェクター１００の動作を説明した。
次に、映像ミュートの実現手法について説明する。映像ミュートの実現手法として、以下の（手法１）〜（手法３）のような例が考えられる。映像ミュートを解除するときは、これらの手法と反対の手順を実施すればよい。
【００４５】
（手法１）映像信号処理部１２０を停止する
ＤＶＤ再生部１１０の再生動作を一時停止する際に、ＤＶＤ再生部１１０そのものを突然停止すると、例えばデコード処理中の映像情報がバッファに残存した状態で再生が中断され、画面上にブロックノイズが出るなどして画面が乱れる場合がある。
そこで、制御部１４０は、ＤＶＤ再生部１１０そのものを停止する前に、映像信号処理部１２０を停止することにより、映像信号の出力を先に停止し、画面上の映像を完全に停止した上でＤＶＤ再生部１１０を停止する。
これにより、ユーザーが乱れた画面を見て不快に感じるなどの心配がなくなり、使用感のよいプロジェクター１００を提供することができる。また、映像信号処理部１２０の停止や再開は、投射部１３０よりも短時間で行うことができるので、実行速度の観点からも便宜である。
【００４６】
（手法２）投射部１３０を停止する
上記と同様の観点から、ＤＶＤ再生部１１０そのものを停止する前に、投射部１３０を停止してもよい。
これにより、ＤＶＤ再生部１１０そのものを停止する前に、投射光が射出されなくなるため、投射映像自体が遮断される。したがって、（手法１）と同様の効果を発揮することができる。
また、投射光を射出しないようにするので、スクリーンの前を横切る人間の眼に投射光が入ることがなくなり、安全の観点からも好ましい。
【００４７】
（手法３）上記の組み合わせ
上記（手法１）（手法２）を組み合わせることもできる。例えば、単純に映像信号処理部１２０と投射部１３０を同時に停止してもよいし、いずれかを先に停止してもよい。
【００４８】
本実施の形態２では、障害物検出部１５０が障害物を検出した後にＤＶＤ再生部１１０を停止する際の映像ミュートについて説明した。一方、ユーザーが操作入力部１６０を操作して手動でＤＶＤ再生部１１０を停止させたときも、同様に映像ミュートを行うようにしてもよい。
【００４９】
以上のように、本実施の形態２では、ＤＶＤ再生部１１０の一時停止や再生再開を行う前後に、映像ミュートやその解除を行う。
そのため、ユーザーが乱れた画面を見て不快に感じるなどの心配がなくなり、使用感のよいプロジェクター１００を提供することができる。
【００５０】
実施の形態３．
実施の形態１〜２では、障害物検出部１５０の検出結果に基づき、ＤＶＤ再生部１１０の再生動作を一時停止し、再生再開時は再生位置を所定量戻すことを説明した。
これとは別に、ユーザーが操作入力部１６０を操作してＤＶＤ再生部１１０を手動で停止した後に再生を再開する場合でも、再生位置を所定量戻すようにしてもよい。
ただし、必ずしも、障害物検出部１５０の検出結果に基づき一時停止した場合と同様の動作を行わなくともよい。例えば、以下の（構成例１）〜（構成例３）のようにすることが考えられる。
【００５１】
（構成例１）再生位置を戻すか否かをユーザーに選択させる
ユーザーが操作入力部１６０を操作してＤＶＤ再生部１１０を手動で停止した後に再生を再開する場合、再生位置を戻すか否かを、ユーザー自身が設定できるように構成する。
例えば、「ＤＶＤ手動停止後に再生再開するとき、再生位置を戻す？：ＹＥＳ／ＮＯ」のような選択をさせる設定画面をスクリーン上に表示させ、操作入力部１６０から選択させるようにする。制御部１４０は、選択結果を操作入力部１６０から受け取り、フラッシュＲＯＭ等の書き込み可能な記憶装置に格納しておく。
制御部１４０は、ユーザーが操作入力部１６０を操作してＤＶＤ再生部１１０を手動で停止したときや、再度操作入力部１６０を操作して再生を再開するときなどに、その選択結果を記憶装置から読み取り、再生位置を戻すか否かを判断する。
なお、再生位置を戻す量も、同様の設定画面でユーザーが自ら設定できるようにしてもよい。
【００５２】
（構成例２）再生位置を戻す量に差をつける
障害物検出部１５０の働きによって再生が自動停止したときと、ユーザーが自らの意思で再生を停止させたときとでは、ユーザーが映像を見逃す量が異なると思われる。
そこで、制御部１４０は、ユーザーが操作入力部１６０を操作してＤＶＤ再生部１１０を手動で停止した後に再生を再開する場合は、障害物検出部１５０の検出結果に基づき一時停止した場合よりも、再生位置を戻す量を少なくする（あるいは多くする）。
これにより、再生再開時には、個々の状況に応じて適切な位置に、再生位置を戻すことができる。
【００５３】
（構成例３）上記の組み合わせ
上記（構成例１）（構成例２）を適宜組み合わせてもよい。
例えば、手動停止後の再生再開時に再生位置を戻すか否かは、ユーザーが選択できるようにしておく。また、手動停止後の再生再開時に再生位置を戻すことを選択した場合は、障害物検出部１５０の検出結果に基づき一時停止した場合よりも、再生位置を戻す量を少なくする（あるいは多くする）。
【００５４】
以上のように、本実施の形態３によれば、ユーザーが手動操作でＤＶＤの再生を停止した後に再生を再開するとき、自動的に再生位置を戻して再生再開することができる。
そのため、ユーザーは手動で再生位置を戻す必要がなくなり、ユーザーの使い勝手を向上させることができる。
【００５５】
実施の形態４．
実施の形態１〜３では、「映像情報再生部」「映像情報格納媒体」として、ＤＶＤを用いるものを例として説明したが、その他の映像情報格納媒体やその再生部を搭載したプロジェクターに関しても、本発明と同様の構成を採用して同様の機能を発揮することができることを付言しておく。
例えば、Ｂｌｕ−Ｒａｙ  Ｄｉｓｃ（登録商標）を再生する機能を備えるプロジェクターについても、本発明と同様の構成を用いることができる。
【図面の簡単な説明】
【００５６】
【図１】実施の形態１に係るプロジェクター１００の機能ブロック図である。
【図２】プロジェクター１００がＤＶＤを再生するときの動作フローである。
【図３】図２の後にＤＶＤの再生を再開するときの動作フローである。
【図４】実施の形態２におけるＤＶＤ再生の動作フローである。
【図５】図４の後にＤＶＤの再生を再開するときの動作フローである。
【符号の説明】
【００５７】
１００  プロジェクター、１１０  ＤＶＤ再生部、１２０  映像信号処理部、１３０  投射部、１４０  制御部、１５０  障害物検出部、１６０  操作入力部。
【図１】
2010145943.tif 000003
【図２】
2010145943.tif 000004
【図３】
2010145943.tif 000005
【図４】
2010145943.tif 000006
【図５】
2010145943.tif 000007